(57)【要約】【課題】観察者が席を移動することなく画面に対して適切な方向において映像を観察することができる表示装置を提供する。【解決手段】全表示方向に１映像を単一に表示する第１表示状態と、個々の映像を互いに異なる方向に表示する第２表示状態とが切り替わる表示部２と、表示部２を左右に回動する回動部７とを備え、１映像のみがＯＮ状態であるとき、第１表示状態に切り替えると共に表示部２の画面方向を上記１映像に対応付けされた方向に向ける表示装置。【選択図】図１
2007264500.tif 000002
【特許請求の範囲】
【請求項１】
同一画面に複数系統の映像を表示可能であり、１系統の映像のみを表示するために当該映像を全表示方向に表示する第１表示状態と、複数系統の映像を表示するために各映像を互いに異なる表示方向に表示する第２表示状態とが切り替わる表示部と、
前記表示部の画面方向を変更するために前記表示部を回動させる回動部と、
各系統の映像の表示／非表示に応じて、前記画面方向が予め設定された方向となるように、前記回動部を動作させる制御部とを備えることを特徴とする表示装置。
【請求項２】
各系統には、その系統の映像のみを表示する場合に前記表示部を向けるべき画面方向が対応付けられており、
前記制御部は、１系統の映像のみを表示する場合に、当該系統に対応付けられた画面方向を前記表示部が向くように前記回動部を動作させることを特徴とする請求項１に記載の表示装置。
【請求項３】
各系統には、その系統の映像のみを表示する場合に前記表示部を向けるべき画面方向が対応付けられており、
前記制御部は、複数系統の映像を表示する場合に、当該各系統に対応付けられた画面方向と、第２表示状態における前記表示部の各表示方向とが一致するように、前記回動部を動作させることを特徴とする請求項１又は２に記載の表示装置。
【請求項４】
前記制御部は、複数系統において同一映像を表示する場合に、前記表示部を前記第１表示状態に切り替えることを特徴とする請求項１から３の何れか１項に記載の表示装置。
【請求項５】
前記複数系統の映像を各々専用に操作する独立した複数の操作部を備えることを特徴とする請求項１から４の何れか１項に記載の表示装置。
【請求項６】
請求項５に記載の表示装置と、
前記各操作部をそれぞれ装着する複数の椅子とを備えることを特徴とする表示システム。
【請求項７】
前記各椅子に装着された前記各操作部に対応する映像の音声をそれぞれ出力する聴音器を、前記各椅子ごとに備えることを特徴とする請求項６に記載の表示システム。
【請求項８】
前記各椅子は、着座を検知する検知部を備え、
前記各操作部は、当該操作部を装着する椅子の検知部による着座の検知の有／無に応じて、当該操作部に対応する映像の表示／非表示を切り替えることを特徴とする請求項６又は請求項７に記載の表示システム。
【請求項９】
前記各操作部の一部又は全体は、当該操作部を装着する椅子から分離することを特徴とする請求項６から８の何れか１項に記載の表示システム。
【発明の詳細な説明】
【技術分野】
【０００１】
本発明は、異なる複数の表示方向に互いに異なる映像を同時に表示しうる表示装置、及びこの表示装置を用いた表示システムに関する。
【背景技術】
【０００２】
複数の異なる映像を同時に表示する表示装置として、表示エリアを複数に分割し、それぞれの表示エリアに異なる映像を同時に表示するものがある（例えば、特許文献１）。
【０００３】
しかし、上記表示装置では、それぞれの表示エリアに表示される映像が同時に見えてしまうため、いずれかの表示エリアに表示されている映像を集中して見ることができないばかりか、それぞれの表示エリアが小さくなってしまうという問題がある。
【０００４】
これに対し、特許文献２においては、表示エリアのサイズを変更することなく異なる複数の表示方向に互いに異なる映像を同時に表示する表示装置が開示されている。
【０００５】
上記表示装置では、液晶表示パネルの前面に、光を一部遮光する遮光バリヤが形成されることにより、観察する方向によって異なる映像を観察することができるようになっている。
【０００６】
また、特許文献３においては、全表示方向に１映像を単一に表示する表示状態と、異なる２映像を互いに異なる方向に表示する表示状態とを切り替え可能な表示装置が開示されている。
【０００７】
上記表示装置は、光の偏光状態がストライプ状に交互に異なる位相差板と、光の偏光状態を切り替えるスイッチング液晶パネルとを備え、スイッチング液晶のＯＮ又はＯＦＦにより視差の効果が有効又は無効に切り替えできるように形成されている。
【０００８】
また、特許文献４においては、表示画面の姿勢を変えることにより全表示方向に１映像を単一に表示する表示状態と、異なる２映像を互いに異なる方向に表示する表示状態とを切り替える表示装置が開示されている。
【特許文献１】特開２０００−２７０２３８号公報（公開日２０００年９月２９日）
【特許文献２】特開平１１−２０５８２２号公報（公開日１９９９年７月３０日）
【特許文献３】特開２００４−３０２４０９号公報（公開日２００４年１０月２８日）
【特許文献４】特開２００５−９１４７５号公報（公開日２００５年４月７日）
【発明の開示】
【発明が解決しようとする課題】
【０００９】
上記特許文献２，３に記載の表示装置では、同時に表示する２映像は表示画面に対し互いに斜め方向に表示され、観察者は表示画面に対し斜め方向から映像を観察する必要がある。
【００１０】
表示画面に対し斜め方向から映像を観察した場合、表示画面の正面から観察した映像に比べ表示サイズが小さく、また、歪んだ映像として観察されることになり、表示画面の正面から観察した場合に比べ表示品位が劣る。これは、表示画面に対し斜めから映像を見る限り、全表示方向に１映像を単一に表示する場合であっても同様に起こる現象である。
【００１１】
そのため、異なる２映像を互いに異なる方向に表示する表示状態から全表示方向に１映像を単一に表示する表示状態に切り替えて映像を観察する場合、観察者は、表示品位の向上を目的に、表示画面に対し斜め方向から正面方向に席を移動することになる。
【００１２】
本発明は、上記の問題点に鑑みてなされたものであり、その目的は、１系統の映像のみを表示するために当該映像を全表示方向に表示する第１表示状態と、複数系統の映像を表示するために各映像を互いに異なる表示方向に表示する第２表示状態とが切り替わる表示部を備える表示装置において、表示状態が切り替わった場合に、観察者が席を移動することなく画面に対して適切な方向において映像を観察することを実現することにある。
【課題を解決するための手段】
【００１３】
本発明の表示装置は、同一画面に複数系統の映像を表示可能であり、１系統の映像のみを表示するために当該映像を全表示方向に表示する第１表示状態と、複数系統の映像を表示するために各映像を互いに異なる表示方向に表示する第２表示状態とが切り替わる表示部と、前記表示部の画面方向を変更するために前記表示部を回動させる回動部と、各系統の映像の表示／非表示に応じて、前記画面方向が予め設定された方向となるように、前記回動部を動作させる制御部とを備えることを特徴としている。
【００１４】
上記構成では、表示部が第２表示状態にあるときは各表示方向において各映像を観察することになる。一方、表示部が第１表示状態にあるときは、何れの方向においても映像を観察することはできるが、大きな表示サイズ、かつ、歪みのない映像を観察しようとすると、画面の正面において観察することが適切である。
【００１５】
そこで、上記構成では、表示部の画面方向を変更するために表示部を回動させる回動部を備えるとともに、各系統の映像の表示／非表示に応じて、画面方向が予め設定された方向となるように回動部を動作させる制御部を備えている。
【００１６】
これにより、どの系統の映像を表示させ、あるいは表示させないかに応じて、その表示状態に応じた最適な方向へ画面方向を自動的に設定することができるようになる。
【００１７】
そのため、観察者は、表示状態が切り替わったとしても、席を移動することなく、画面に対して適切な方向において映像を観察することができるようになる。
【００１８】
なお、「表示方向」とは、表示部の画面からみた方向（映像が表示される方向）を意味し、「画面方向」とは、表示部の画面が向いている方向（一般には画面の法線方向）を意味する。
【００１９】
上記本発明の表示装置において好ましくは、各系統には、その系統の映像のみを表示する場合に前記表示部を向けるべき画面方向が対応付けられており、前記制御部は、１系統の映像のみを表示する場合に、当該系統に対応付けられた画面方向を前記表示部が向くように前記回動部を動作させる。
【００２０】
この構成を採用することにより、１系統の映像のみを表示する場合には、自動的に、当該系統に対応付けられた画面方向を表示部が向くことになる。したがって、観察者は、自身が観察しようとしている映像の系統に対応する方向の席に着いておれば、１系統の映像のみを表示する場合に席を移動することなく画面の正面から映像を観察することができる。
【００２１】
上記本発明の表示装置において好ましくは、各系統には、その系統の映像のみを表示する場合に前記表示部を向けるべき画面方向が対応付けられており、前記制御部は、複数系統の映像を表示する場合に、当該各系統に対応付けられた画面方向と、第２表示状態における前記表示部の各表示方向とが一致するように、前記回動部を動作させる。
【００２２】
この構成を採用することにより、複数系統の映像を表示する場合には、自動的に、各系統に対応付けられた画面方向と、第２表示状態における各表示方向とが一致するような向きを表示部が向くことになる。したがって、各観察者は、自身が観察しようとしている映像の系統に対応する方向の席に着いておれば、複数系統の映像を表示する場合に席を移動することなく所望とする映像を観察することができる。
【００２３】
上記本発明の表示装置において好ましくは、前記制御部は、複数系統において同一映像を表示する場合に、前記表示部を前記第１表示状態に切り替える。
【００２４】
一般に、第１表示状態は、第２表示状態よりも表示する映像の数が少ないため、その分肌理の細かい表示が可能である。そのため、上記構成を採用することにより、複数系統において同一映像を表示する場合には、観察者は肌理の細かい映像を観察することができる。
【００２５】
上記本発明の表示装置において好ましくは、上記複数系統の映像を各々専用に操作する独立した複数の操作部を備えている。
【００２６】
この構成を採用することにより、観察者は、互いに他の観察者が観察する映像を意識することなく、自身の観察する映像を操作することができるので操作性が向上する。
【００２７】
発明の表示システムは、上記操作部を備えた表示装置と、前記各操作部をそれぞれ装着する複数の椅子とを備える構成である。
【００２８】
この構成を採用することにより、各系統と、当該各系統の映像の観察位置との関係が明確になるので、観察者は上記操作部に対応付けされた映像の表示方向を意識することなく適切な位置において映像の観察が可能になる。
【００２９】
上記本発明の表示システムにおいて好ましくは、前記各椅子に装着された前記各操作部に対応する映像の音声をそれぞれ出力する聴音器を、前記各椅子ごとに備える。
【００３０】
この構成を採用することにより、観察者は観察する映像の音声のみを聴くことができるので音質性が向上する。
【００３１】
上記本発明の表示システムにおいて好ましくは、前記各椅子は、着座を検知する検知部を備え、前記各操作部は、当該操作部を装着する椅子の検知部による着座の検知の有／無に応じて、当該操作部に対応する映像の表示／非表示を切り替える。
【００３２】
この構成を採用することにより、観察者は操作部を直接操作して映像の表示／非表示を切り替える必要が無いので操作性が向上する。
【００３３】
上記本発明の表示システムにおいて好ましくは、前記各操作部の一部又は全体は、当該操作部を装着する椅子から分離する。
【００３４】
この構成を採用することにより、観察者は椅子に座っていないときにも映像を操作できるので利便性が向上する。
【発明の効果】
【００３５】
以上のように、本発明の表示装置は、同一画面に複数系統の映像を表示可能であり、１系統の映像のみを表示するために当該映像を全表示方向に表示する第１表示状態と、複数系統の映像を表示するために各映像を互いに異なる表示方向に表示する第２表示状態とが切り替わる表示部と、表示部の画面方向を変更するために表示部を回動させる回動部と、各系統の映像の表示／非表示に応じて、画面方向が予め設定された方向となるように、回動部を動作させる制御部とを備える構成である。
【００３６】
上記構成では、表示部の画面方向を変更するために表示部を回動させる回動部を備えるとともに、各系統の映像の表示／非表示に応じて、画面方向が予め設定された方向となるように回動部を動作させる制御部を備えている。
【００３７】
これにより、どの系統の映像を表示させ、あるいは表示させないかに応じて、その表示状態に応じた最適な方向へ画面方向を自動的に設定することができるようになる。
【００３８】
そのため、上記構成では、観察者は、表示状態が切り替わったとしても、席を移動することなく、画面に対して適切な方向において映像を観察することができるようになるという効果を奏する。
【発明を実施するための最良の形態】
【００３９】
（構成）
図１から図１６を参照して、本発明の実施の一形態における表示装置及び表示システムについて説明する。
【００４０】
本実施の形態における表示装置は、全表示方向に対して１映像を表示する表示状態（以下、本表示状態を「第１表示状態」と称する）と、異なる２映像を互いに異なる方向に表示する表示状態（以下、本表示状態を「第２表示状態」と称する）とを切り替えることができる表示装置である。なお、第２表示状態は、いわゆるデュアルビュー表示の状態である。
【００４１】
図１に、本実施の形態における表示装置１００の概略ブロック図を示す。
【００４２】
表示装置１００は、第１及び第２映像操作部３，４、制御部５、表示部２、回動部７を備えている。
【００４３】
まず、図１、図２、図１５及び図１６に基づいて、表示部２について説明する。表示部２としては、たとえば背景技術欄において説明した特許文献３（特開２００４−３０２４０９号公報）に開示の構成のものを利用することができる。この表示部２について、以下において簡単に説明しておく。
【００４４】
表示部２は、その断面を図２に示すように、発光する照明１３と、光の偏光状態を切り替えるスイッチング液晶パネル１２と、光の偏光状態がストライプ状に交互に異なるようにパターン化された位相差板１１と、映像を表示するための表示用液晶パネル１０とを備え、これらが背面側から上記の順序で並ぶように配置されて構成されている。
【００４５】
照明１３は、いわゆる直下型のバックライトである。
【００４６】
スイッチング液晶パネル１２は、照明１３側に偏光板１２ａを備え、液晶層のＯＮ又はＯＦＦに応じてスイッチング液晶パネル１２を透過する光の偏光状態をアクティブエリア全面で切り替えるように形成されている。スイッチング液晶パネル１２がＯＦＦのとき、スイッチング液晶パネル１２は１／２波長板として作用し、スイッチング液晶パネル１２がＯＮのとき、スイッチング液晶パネル１２には光学変調作用が発生しない。
【００４７】
位相差板１１は、基板上に配向膜を形成し、更にその上部に液晶層を積層した構成である。また、ラビング方向すなわち遅相軸がアクティブエリア内においてストライプ状に交互に異なり、各領域を通過する光の偏光が互いに９０°異なるように形成されている。
【００４８】
表示用液晶パネル１０は、図示しない液晶駆動部から入力される表示駆動情報に応じて映像を表示するように形成されている。
【００４９】
この表示部２による表示原理を図１５及び図１６に基づいて説明する。なお、図１５及び図１６上の矢印は、透過する光の偏光方向を示している。
【００５０】
図１５に示すように、スイッチング液晶パネル１２がＯＮのとき、位相差板１１を通過する、ストライプ状に交互に偏光方向の異なる光は、互いに表示用液晶パネル１０の偏光板１０ａの透過軸と４５度の角度をなし、同じ透過率で表示用液晶パネル１０の偏光板１０ａを透過する。これにより、視差バリヤは形成されず、表示用液晶パネル１０に出力される映像が全表示方向に単一に表示される。
【００５１】
一方、図１６に示すように、スイッチング液晶パネル１２がＯＦＦのとき、位相差板１１を通過する光の内、ストライプ状の一方の領域の光の偏光軸は、表示用液晶パネル１０の偏光板１０ａの透過軸と平行となり、ストライプ状の他方の領域の偏光軸は、表示用液晶パネル１０の偏光板１０ａの透過軸と９０度の角度をなす。これにより光学作用によるストライプ状の視差バリヤが形成され、表示用液晶パネル１０に行単位で交互に出力される２つの映像が空間上の異なる規定された２つの領域に表示される。
【００５２】
次に、図１及び表示装置本体１０１の背面外観を示した図３に基づいて、回動部７について説明する。
【００５３】
回動部７は、図示しないモータを備え、表示部２の表示画面を左右に回動させるものである。
【００５４】
ここで、表示装置本体１０１は、台２０を備え、台２０の重心の上部に柱２１が連結して形成されている。柱２１には円筒状からなる棒２２の一方の端が固定され、棒２２の他端は回動部７に接続されている。この回動部７は、表示部２の表示画面と相反する側の面（以下、表示部の「裏面」と称する）の中心に取り付けられている。そして、回動部７が棒２２に対して回動することにより、回動部７の取り付けられた表示部２もともに回動するようになっている。
【００５５】
また、表示装置本体１０１は、表示部２の表示画面側に外部と赤外線で通信するための通信窓（図示せず）を備える。
【００５６】
次に、図１及び第１及び第２映像操作部３，４を正面から見た状態を示した図４（ａ）及び図４（ｂ）に基づいて、第１及び第２映像操作部３，４について説明する。
【００５７】
第１映像操作部３と第２映像操作部４とは互いに独立して、つまり、互いに分離可能なように構成されており、互いに異なる場所からチャネル選択情報及びＯＮ／ＯＦＦ情報（以下、チャネル選択情報及びＯＮ／ＯＦＦ情報をまとめて「映像操作情報」と称する）を制御部５に送信する。また、第１映像操作部３と第２映像操作部４は、互いに異なる識別用ＩＤコードをチャネル選択情報及びＯＮ／ＯＦＦ情報内に付加して制御部５に送信する。
【００５８】
第１映像操作部３は、正面に外部と赤外線で通信するための通信窓２４を備え、表面に操作入力のための操作ボタン２６を備える。また、第１映像操作部３は、操作ボタン２６が配置される表面と相反する面（以下、映像操作端末の「裏面」と称する）に凹部２８を有し、凹部２８には第１映像操作部３から外部聴音器に映像の音声を出力するための図示しない音声信号出力端子、及び第１映像操作部３に映像のＯＮ／ＯＦＦ信号を外部スイッチから取り込むための図示しない表示信号入力端子が形成されている。さらに、第１映像操作部３は、図示しないテレビアンテナ及びテレビチューナーを備え、操作映像に対応する音声を受信するように形成されている。
【００５９】
第２映像操作部４は、正面に外部と赤外線で通信するための通信窓２５を備え、表面に操作入力のための操作ボタン２７を備える。また、第２映像操作部４は、第１映像操作部３における凹部２８の形成位置とは異なる位置に凹部２９を有し、凹部２９には第２映像操作部４から外部聴音器に映像の音声を出力するための図示しない音声信号出力端子、及び第２映像操作部４に映像のＯＮ／ＯＦＦ信号を外部スイッチから取り込むための図示しない表示信号入力端子が形成されている。さらに、第２映像操作部４は、図示しないテレビアンテナ及びテレビチューナーを備え、操作映像に対応する音声を受信するように形成されている。
【００６０】
次に、図１に基づいて制御部５について説明する。
【００６１】
制御部５は、表示部２にテレビ映像を表示する。また、制御部５は、表示部２の表示を第１表示状態又は第２表示状態に切り替える。
【００６２】
制御部５は、回動部７を駆動する。回動部７には、表示部２が取り付けられ、回動部７の駆動により表示部２の表示画面が左右方向に回動する。
【００６３】
制御部５は、図示しない発光素子及び受光素子を介して第１映像操作部３及び第２映像操作部４と無線で通信し、第１映像操作部３及び第２映像操作部４からの映像操作情報を取り込んで把握する。
【００６４】
ここで、制御部５は、表示指示部８２、駆動指示部８３、入力認識部８１、チューナー管理部８０を備えている。
【００６５】
入力認識部８１は、第１及び第２映像操作部３，４からの第１及び第２ＯＮ／ＯＦＦ情報（第１及び第２ＯＮ／ＯＦＦ情報を総称するときは単に「ＯＮ／ＯＦＦ情報」という）や第１及び第２チャンネル選択情報（第１及び第２チャンネル選択情報を総称するときは単に「チャンネル選択情報」という）を認識し、チャンネル選択情報をチューナー管理部８０に伝達すると共に、ＯＮ／ＯＦＦ情報を表示指示部８２及び駆動指示部８３に伝達する。
【００６６】
ここで、第１及び第２ＯＮ／ＯＦＦ情報は、第１及び第２映像操作部３，４それぞれにより操作される２系統の映像（それぞれ第１及び第２テレビ映像という）が、ＯＮ状態（表示状態）にあるかＯＦＦ状態（非表示状態）にあるかを示す情報である。
【００６７】
また、第１及び第２チャンネル選択情報は、第１及び第２テレビ映像として選択されたテレビチャンネルを示す情報である。
【００６８】
チューナー管理部８０は、図示しない外部テレビアンテナと接続し、入力認識部８１からの第１及び第２チャンネル選択情報に基づき、第１及び第２チャンネル選択情報にそれぞれ対応する第１及び第２選択映像信号（第１及び第２選択映像信号を総称するときは単に「選択映像信号」という）を表示指示部８２に伝達する。
【００６９】
ここで、第１及び第２選択映像信号とは、それぞれ第１及び第２チャンネル選択情報により選択されたテレビチャンネルの映像信号である。
【００７０】
表示指示部８２は、入力認識部８１からのＯＮ／ＯＦＦ情報及びチューナー管理部８０からの選択映像情報に基づき、表示情報を表示部２に伝達する。
【００７１】
ここで、ＯＮ／ＯＦＦ情報により第１及び第２テレビ映像のうちの一方のみＯＮであることが示されている場合には、表示指示部８２は、表示部２を第１表示状態に切り替えるとともに、ＯＮである第１又は第２テレビ映像のみを表示部２に表示させる。
【００７２】
また、ＯＮ／ＯＦＦ情報により第１及び第２テレビ映像の両方がＯＮであることが示されている場合には、表示指示部８２は、表示部２を第２表示状態に切り替えるとともに、第１及び第２テレビ映像を表示部２に表示させる。
【００７３】
駆動指示部８３は、入力認識部８１からのＯＮ／ＯＦＦ情報に基づき、位置決め情報を回動部７に伝達する。位置決め情報は、回動部７における回動停止位置であり、これにより表示部２の画面方向が決定される。
【００７４】
なお、駆動指示部８３は、第１テレビ映像のみＯＮの場合に表示部２を向けるべき方向（後述する図８、図１２参照）、第２テレビ映像のみＯＮの場合に表示部２を向けるべき方向（後述する図９、図１４参照）、第１及び第２テレビ映像の両方がＯＮの場合に表示部２をむけるべき方向（後述する図１０、図１３参照）を、それぞれ上記位置決め情報としてとして記憶している。
【００７５】
図５に、本実施の形態における表示装置１００が第１表示状態にあるときの模式図を示す。
【００７６】
表示画面３５の全表示方向に第１テレビ映像３０又は第２テレビ映像３１が表示される。第１テレビ映像３０は第１映像操作部３で制御される第１系統の映像であり、第２テレビ映像３１は第２映像操作部４で制御される第２系統の映像である。このように、表示装置１００は、個別に操作される２系統の映像の表示が可能である。
【００７７】
図６に、本実施の形態における表示装置１００が第２表示状態にあるときの模式図を示す。
【００７８】
表示画面３５から見て右側方向（矢印３２が示す方向）に第１テレビ映像３０が表示され、左側方向（矢印３３が示す方向）に第２テレビ映像３１が表示される。第１テレビ映像３０は第１映像操作部３で制御され、第２テレビ映像３１は第２映像操作部４で制御される。
【００７９】
次に、本実施の形態における表示装置１００のテレビ映像を第１及び第２映像操作部３，４を操作して制御する方法について、図７のフローチャートに基づいて説明する。
【００８０】
入力認識部８１は、第１映像操作部３及び第２映像操作部４からのＯＮ／ＯＦＦ情報に基づき、第１テレビ映像３０の表示をＯＮするか否か、第２テレビ映像３１の表示をＯＮするか否かを判断する（ステップＳ１，ステップＳ２，ステップＳ３）。尚、入力認識部８１は、ＯＮ／ＯＦＦ情報に付加されたＩＤコードを基に、第１映像操作部３からの情報と第２映像操作部４からの情報を区別して認識する。
【００８１】
入力認識部８１は、第１テレビ映像３０の表示をＯＮし、第２テレビ映像３１の表示をＯＦＦすると判断したとき、第１テレビ映像３０の表示をＯＮするとしたＯＮ／ＯＦＦ情報を駆動指示部８３に伝達する。駆動指示部８３は、ＯＮ／ＯＦＦ情報を基に回動部７を制御し、図８に示すように、表示画面３５が台２０の長手方向と平面視したときに平行となるときの表示画面３５が向く向き（以下、表示装置本体１０１の「正面」と称する）に対して表示画面３５を右側に傾ける。また、表示指示部８２は、ＯＮ／ＯＦＦ情報を基に表示部２を制御して表示画面３５の全領域に第１テレビ映像３０のみを表示する（ステップＳ４）。
【００８２】
また、入力認識部８１は、第１テレビ映像３０の表示をＯＦＦし、第２テレビ映像３１の表示をＯＮすると判断したとき、第２テレビ映像３１の表示をＯＮするとしたＯＮ／ＯＦＦ情報を駆動指示部８３に伝達する。駆動指示部８３は、ＯＮ／ＯＦＦ情報を基に回動部７を制御し、図９に示すように、表示画面３５を表示装置本体１０１の正面に対して左側に傾ける。また、表示指示部８２は、ＯＮ／ＯＦＦ情報を基に表示部２を制御して表示画面３５の全領域に第２テレビ映像３１のみを表示する（ステップＳ５）。
【００８３】
さらに、入力認識部８１は、第１テレビ映像３０及び第２テレビ映像３１の表示をＯＮすると判断したとき、第１テレビ映像３０及び第２テレビ映像３１の表示をＯＮするとしたＯＮ／ＯＦＦ情報を駆動指示部８３に伝達する。駆動指示部８３は、ＯＮ／ＯＦＦ情報を基に回動部７を制御し、図１０に示すように、表示画面３５を表示装置本体１０１の正面に向ける。また、表示指示部８２は、ＯＮ／ＯＦＦ情報を基に表示部２を制御して表示装置本体１０１の正面から見て右側方向に第１テレビ映像３０、左側方向に第２テレビ映像３１を表示する（ステップＳ６）。
【００８４】
次に、本実施の形態における表示システムについて説明する。この表示システムは、上記表示装置１００と上記表示装置１００の第１及び第２映像操作部３，４を装着可能な椅子とからなる。
【００８５】
図１１（ａ）及び図１１（ｂ）に、本実施の形態における表示システムの椅子の概略正面図を示す。
【００８６】
表示システムは、第１テレビ映像３０を観察する観察者が座る椅子５０と、第２テレビ映像３１を観察する観察者が座る椅子５１とを備える。
【００８７】
椅子５０は両側に肘掛け５２ａと肘掛け５２ｂとを備え、肘掛け５２ａは凹部５３を有する。凹部５３は底部に凸部５３ａを有し、凸部５３ａは第１映像操作部３の凹部２８と勘合して第１映像操作部３のみが凹部５３に装着されるように形成されている。また、凹部５３は第１映像操作部３を凹部５３に装着したときに、第１映像操作部３の通信窓２４から発する赤外光が遮断されることのないように形成されている。
【００８８】
凸部５３ａは図示しない音声信号入力端子及び表示信号出力端子を有し、第１映像操作部３を椅子５０に装着したときに、凸部５３ａに形成された音声信号入力端子が第１映像操作部３の凹部２８に形成された音声信号出力端子に接続し、凸部５３ａに形成された表示信号出力端子が第１映像操作部３の凹部２８に形成された表示信号入力端子に接続するように形成されている。
【００８９】
また、椅子５０は聴音器５４を備える。聴音器５４は、第１映像操作部３を椅子５０に装着したときに、音声信号端子を介して第１映像操作部３の音声信号に接続し、第１映像操作部３が受信した第１テレビ映像３０の音声が聴音器５４から流れるように形成されている。
【００９０】
さらに、椅子５０は、座板５５の下方側（以下、座板の「裏面側」と称する）にスイッチ（検知部）５６を備える。スイッチ５６は、第１映像操作部３を椅子５０に装着したときに、表示信号端子を介して第１映像操作部３の表示信号に接続し、椅子５０に人が座ると第１テレビ映像３０の表示がＯＮし、椅子５０から人が立ち上がると第１テレビ映像３０の表示がＯＦＦするように形成されている。
【００９１】
椅子５１は両側に肘掛け５７ａと肘掛け５７ｂを備え、肘掛け５７ａは凹部５８を有する。凹部５８は底部に凸部５８ａを有し、凸部５８ａは第２映像操作部４の凹部２９と勘合して第２映像操作部４のみが凹部５８に装着されるように形成されている。また、凹部５８は第２映像操作部４を凹部５８に装着したときに、第２映像操作部４の通信窓２５から発する赤外光が遮断されることのないように形成されている。
【００９２】
凸部５８ａは図示しない音声信号入力端子及び表示信号出力端子を有し、第２映像操作部４を椅子５１に装着したときに、凸部５８ａに形成された音声信号入力端子が第２映像操作部４の凹部２９に形成された音声信号出力端子に接続し、凸部５８ａに形成された表示信号出力端子が第２映像操作部４の凹部２９に形成された表示信号入力端子に接続するように形成されている。
【００９３】
また、椅子５１は聴音器５９を備える。聴音器５９は、第２映像操作部４を椅子５１に装着したときに、音声信号端子を介して第２映像操作部４の音声信号に接続し、第２映像操作部４が受信した第２テレビ映像３１の音声が聴音器５９から流れるように形成されている。
【００９４】
さらに、椅子５１は、座板６０の裏面側にスイッチ（検知部）６１を備える。スイッチ６１は、第２映像操作部４を椅子５１に装着したときに、表示信号端子を介して第２映像操作部４の表示信号に接続し、椅子５１に人が座ると第２テレビ映像３１の表示がＯＮし、椅子５１から人が立ち上がると第２テレビ映像３１の表示がＯＦＦするように形成されている。
【００９５】
（作用・効果）
図１２から図１４に、椅子５０，５１と表示装置１００を備える表示システムの概略平面図を示す。表示装置本体１０１の正面から見て右側前方に椅子５０、左側前方に椅子５１が配置されている。また、椅子５０に第１映像操作部３、椅子５１に第２映像操作部４が装着されている。
【００９６】
椅子５１に観察者が居ない状態で椅子５０に観察者７０が座ったとき、図１２に示すように、表示画面３５を表示装置本体１０１の正面に対して右側に傾ける。そして、表示画面３５の全領域に第１テレビ映像３０を表示する。また、椅子５０に装着された聴音器５４に第１テレビ映像３０の音声を出力する。第１テレビ映像３０は第１映像操作部３の操作により切り替わる。
【００９７】
椅子５０に観察者７０が座っている状態で椅子５１に観察者７１が座ったとき、図１３に示すように、表示画面３５を表示装置本体１０１の正面に向ける。そして、表示装置本体１０１の正面から見て右側方向に第１テレビ映像３０を表示し、左側方向に第２テレビ映像３１を表示する。また、椅子５０に装着された聴音器５４に第１テレビ映像３０の音声を出力し、椅子５１に装着された聴音器５９に第２テレビ映像３１の音声を出力する。第１テレビ映像３０は第１映像操作部３の操作により切り替わり、第２テレビ映像３１は第２映像操作部４の操作により切り替わる。
【００９８】
椅子５１に観察者７１が座っている状態で椅子５０から観察者が立ち去ったとき、図１４に示すように、表示画面３５を表示装置本体１０１の正面に対して左側に傾ける。そして、表示画面３５の全領域に第２テレビ映像３１を表示する。また、椅子５１に装着された聴音器５９に第２テレビ映像３１の音声を出力する。第２テレビ映像３１は第２映像操作部４の操作により切り替わる。
【００９９】
椅子５１に観察者７１が座っている状態で椅子５０に観察者７０が座ったとき、図１３に示すように、表示画面３５を表示装置本体１０１の正面に向ける。そして、表示装置本体１０１の正面から見て右側方向に第１テレビ映像３０を表示し、左側方向に第２テレビ映像３１を表示する。また、椅子５０に装着された聴音器５４に第１テレビ映像３０の音声を出力し、椅子５１に装着された聴音器５９に第２テレビ映像３１の音声を出力する。第１テレビ映像３０は第１映像操作部３の操作により切り替わり、第２テレビ映像３１は第２映像操作部４の操作により切り替わる。
【０１００】
椅子５０に観察者７０が座っている状態で椅子５１から観察者が立ち去ったとき、図１２に示すように、表示画面３５を表示装置本体１０１の正面に対して右側に傾ける。そして、表示画面３５の全領域に第１テレビ映像３０を表示する。また、椅子５０に装着された聴音器５４に第１テレビ映像３０の音声を出力する。第１テレビ映像３０は第１映像操作部３の操作により切り替わる。
【０１０１】
椅子５０に観察者が居ない状態で椅子５１に観察者７１が座ったとき、図１４に示すように、表示画面３５を表示装置本体１０１の正面に対して左側に傾ける。そして、表示画面３５の全領域に第２テレビ映像３１を表示する。また、椅子５１に装着された聴音器５９に第２テレビ映像３１の音声を出力する。第２テレビ映像３１は第２映像操作部４の操作により切り替わる。
【０１０２】
このように、第１テレビ映像又は第２テレビ映像のどちらか一方のみが表示のとき、表示装置１００の表示画面を観察者の方向に向けると共に単一のテレビ映像を表示することにより、観察者は席を移動することなくワイドで肌理の細かい映像を観察することができる。
【０１０３】
また、第１テレビ映像及び第２テレビ映像が表示のとき、表示画面を表示装置本体１０１の正面に向け、表示装置本体１０１の正面から見て右側方向に第１テレビ映像を表示し、左側方向に第２テレビ映像を表示することにより、観察者は席を移動せずに互いに映像を観察することができる。
【０１０４】
また、第１テレビ映像と第２テレビ映像が同じ表示内容（同じチャンネル）であるとき、表示指示部８２により表示部２を第１表示状態に切り替え、単一のテレビ映像を表示することにより、観察者は肌理の細かい映像を観察することができる。
【０１０５】
また、第１テレビ映像のみを専用に操作する第１映像操作部と第２テレビ映像のみを専用に操作する第２映像操作部とを備えることにより、操作者は互いに相手のテレビ映像を意識することなく映像を操作することができるので操作性が向上する。
【０１０６】
また、第１テレビ映像又は第２テレビ映像を操作する映像操作部が特定して装着される椅子を備えることにより、映像操作部を椅子に装着したとき、表示装置本体１０１の正面から見て右側前方に配置の椅子に座って映像を操作する操作者が誤って表示装置本体１０１の正面から見て左側方向に表示の第２テレビ映像を操作することがなく、また、同様に表示装置本体１０１の正面から見て左側前方に配置の椅子に座って映像を操作する操作者が誤って表示装置本体１０１の正面から見て右側方向に表示の第１テレビ映像を操作することがないので操作性が向上する。
【０１０７】
また、椅子に聴音器を備え、本聴音器に本椅子に装着される映像操作部に対応付けされた映像の音声を出力することにより、観察者は互いに観察するテレビ映像の音声のみを聴くことができるので音質性が向上する。
【０１０８】
また、椅子にテレビ映像の表示をＯＮ又はＯＦＦするスイッチを取り付けることにより、操作者は操作部を直接、操作することなくテレビ映像の表示をＯＮ又はＯＦＦできるので操作性が向上する。
【０１０９】
また、映像操作部を着脱する椅子を備えることにより、操作者は椅子に座っていないときにも映像を操作できるので利便性が向上する。
【０１１０】
本実施の形態においては、異なるテレビ映像を表示するように形成されているが、この形態に限られず、観察者が互いに異なる映像を観察できるものであれば構わない。たとえば、テレビ映像とＤＶＤ映像、テレビ映像とカーナビ映像の組み合わせであっても構わない。また、各方向に表示の映像形態が固定である必要はなく、映像形態を切り替えて使用できるものであっても構わない。たとえば、表示映像がテレビ映像、ＤＶＤ映像、カーナビ映像に切り替えできるものであっても構わない。
【０１１１】
本実施の形態においては、表示部は、表示面側に表示用液晶パネルを備え照明側に位相差板とスイッチング液晶パネルを備えているが、この形態に限られず、表示部は、表示面側に位相差板とスイッチング液晶パネルを備え照明側に表示用液晶パネルを備えたものであっても構わない。
【０１１２】
本実施の形態においては、偏光方向を変化させて第１表示状態と第２表示状態とを切り替えるように形成されているが、この形態に限られず、たとえば、光を視差するレンズと表示パネルとの距離を変化させて第１表示状態と第２表示状態とを切り替えるものであっても構わない。
【０１１３】
本実施の形態においては、１映像の表示のみがＯＮのとき表示画面の全領域を用いて映像を表示するように形成されているが、この形態に限られず、１映像の表示のみがＯＮのときであっても視差効果を有効にするものであっても構わない。この構成を採用することにより、視差の効果を有効又は無効に切り替える機構を必要としないので表示部を短薄軽小化できる。
【０１１４】
本実施の形態においては、表示パネルが液晶で形成されているが、この形態に限られず、たとえば、表示パネルがプラズマや有機ＥＬで形成されたものであっても構わない。
【０１１５】
本実施の形態においては、左右方向に異なる２つの映像を表示しうるように形成されているが、この形態に限られず、たとえば、左方向、中央方向、右方向に異なる映像を表示するように形成されたものであっても構わない。この構成を採用することにより、観察者は互いに異なる映像を互いに異なる３方向から観察できる。
【０１１６】
本実施の形態においては、椅子に装着された聴音器で映像の音声を聴くように形成されているが、互いに異なる音声を聴くことができるものであればよく、たとえば、互いに干渉しないレベルの指向性を有するスピーカで映像の音声を聴くように形成されたものであっても構わない。この構成を採用することにより、観察者は聴音器を装着する必要が無いので快意性が増す。
【０１１７】
本実施の形態においては、映像操作部を椅子から着脱できるように形成されているが、この形態に限られず、たとえば、映像の表示をＯＮ又はＯＦＦする操作部が初めから椅子に固定されたものであっても構わない。この構成を採用することにより、常時、椅子に人が座ると映像の表示がＯＮし、椅子から人が立ち去ると映像の表示がＯＦＦするので操作性が向上する。
【０１１８】
本実施の形態においては、映像操作部と映像操作部からの情報を認識する入力認識部とが無線で通信するように形成されているが、この形態に限らず、映像操作部と映像操作部からの情報を認識する入力認識部が配線で接続されて通信するものであっても構わない。
【０１１９】
本実施の形態においては、映像操作部にテレビアンテナ及びテレビチューナーを内蔵し、テレビ映像の音声を受信するように形成されているが、この形態に限られず、たとえば、映像を表示制御する制御部内のチューナー管理部を経由して表示映像の音声を受信するものであってもよい。
【０１２０】
本実施の形態においては、映像操作部により表示のＯＮ又はＯＦＦ及び表示の切り替えを行うように形成されているが、この形態に限られず、たとえば、表示の切り替えを行う操作部が表示装置本体１０１側に配置され、表示のＯＮ又はＯＦＦを行う操作部が椅子に配置されたものであっても構わない。
【０１２１】
なお、今回開示した上記実施の形態はすべての点で例示であって制限的なものではない。本発明の範囲は上記した説明ではなくて特許請求の範囲によって示され、特許請求の範囲と均等の意味及び範囲内でのすべての変更を含むものである。
【産業上の利用可能性】
【０１２２】
本発明は、例えば、映像が遠隔操作により切り換わるデュアルビュー表示装置に特に好適に適用できる。
【図面の簡単な説明】
【０１２３】
【図１】本発明の実施の形態における表示装置の構成を示すブロック図である。
【図２】上記表示装置の表示部の構成を示す断面図である。
【図３】上記表示装置の外観を示す斜視図である。
【図４】（ａ）及び（ｂ）は、上記表示装置の２つの映像操作部の外観を示す正面図である。
【図５】上記表示装置における第１表示状態を説明するための図である。
【図６】上記表示装置における第２表示状態を説明するための図である。
【図７】上記表示装置においてテレビ映像を制御するときのフローチャートである。
【図８】上記表示装置において第１テレビ映像の表示がＯＮで、第２テレビ映像の表示がＯＦＦのときの画面の方向を示す平面図である。
【図９】上記表示装置において第１テレビ映像の表示がＯＦＦで、第２テレビ映像の表示がＯＮのときの画面の方向を示す平面図である。
【図１０】上記表示装置において第１テレビ映像の表示がＯＮで、第２テレビ映像の表示がＯＮのときの画面の方向を示す平面図である。
【図１１】（ａ）及び（ｂ）は、本実施の形態における表示システムが備える２つの椅子の構成を示す正面図である。
【図１２】上記表示システムにおいて第１テレビ映像の表示がＯＮで、第２テレビ映像の表示がＯＦＦのときの観察者の位置及び画面の方向を示す平面図である。
【図１３】上記表示システムにおいて第１テレビ映像の表示がＯＮで、第２テレビ映像の表示がＯＮのときの観察者の位置及び画面の方向を示す平面図である。
【図１４】上記表示システムにおいて第１テレビ映像の表示がＯＦＦで、第２テレビ映像の表示がＯＮのときの観察者の位置及び画面の方向を示す平面図である。
【図１５】上記表示装置において、全表示方向に１映像を単一に表示するときの動作原理を説明するための図である。
【図１６】上記表示装置において、異なる２映像を互いに異なる方向に表示するときの動作原理を説明するための図である。
【符号の説明】
【０１２４】
２  表示部
３  第１映像操作部
４  第２映像操作部
５  制御部
７  回動部
１０  表示用液晶パネル
１０ａ，１０ｂ，１２ｂ  偏光板
１１  位相差板
１２  スイッチング液晶パネル
１３  照明
２０  台
２１  柱
２２  棒
２４，２５  通信窓
２６，２７  操作ボタン
２８，２９，５３，５８  凹部
３０  第１テレビ映像
３１  第２テレビ映像
３５  表示画面
５０，５１  椅子
５２ａ，５２ｂ，５７ａ，５７ｂ  肘掛け
５３ａ，５８ａ  凸部
５４，５９  聴音器
５５，６０  座板
５６，６１  スイッチ（検知部）
７０，７１  観察者
８０  チューナー管理部
８１  入力認識部
８２  表示指示部
８３  駆動指示部
１００  表示装置
１０１  表示装置本体
【図１】
2007264500.tif 000003
【図２】
2007264500.tif 000004
【図３】
2007264500.tif 000005
【図４】
2007264500.tif 000006
【図５】
2007264500.tif 000007
【図６】
2007264500.tif 000008
【図７】
2007264500.tif 000009
【図８】
2007264500.tif 000010
【図９】
2007264500.tif 000011
【図１０】
2007264500.tif 000012
【図１１】
2007264500.tif 000013
【図１２】
2007264500.tif 000014
【図１３】
2007264500.tif 000015
【図１４】
2007264500.tif 000016
【図１５】
2007264500.tif 000017
【図１６】
2007264500.tif 000018